(57)【要約】【課題】外部メモリに格納される再生能力ファイル数が１つであり、再生能力ファイルに記載できる再生能力情報が１つに規定されている場合でも、コンテンツ再生機能及びコンテンツ記録機能を有する再生記録装置において、他の再生装置の再生能力に応じたコンテンツを記録すること。【解決手段】外部メモリが挿入された再生装置の再生能力情報が再生能力ファイルとして外部メモリに格納され、再生能力ファイルが格納された外部メモリが挿入された記録装置で、再生装置の再生能力情報に基づいてコンテンツが外部メモリに記録され、外部メモリに格納可能な再生能力情報が１つであるシステムにおける再生記録装置１００であって、保持部１０３は挿入された外部メモリに格納された再生能力ファイルを読み込み、再生記録装置１００以外の他の再生装置の再生能力情報を保持し、記録部１０２は他の再生装置の再生能力情報に基づいてコンテンツを外部メモリに記録する。【選択図】図１
2011193120.tif 000002
【特許請求の範囲】
【請求項１】
再生装置に外部記憶媒体が挿入されると、前記再生装置におけるコンテンツの再生能力を示す再生能力情報が再生能力ファイルとして前記外部記憶媒体に格納され、前記再生能力ファイルが格納された前記外部記憶媒体が挿入された記録装置で、前記再生装置の前記再生能力情報に基づいて、コンテンツが前記外部記憶媒体に記録されるコンテンツ転送システムであって、前記外部記憶媒体に格納可能な前記再生能力情報が１つである前記コンテンツ転送システムにおいて、前記再生装置及び前記記録装置として動作可能なコンテンツ再生記録装置であって、
挿入された前記外部記憶媒体に格納された前記再生能力ファイルを読み込み、前記コンテンツ再生記録装置以外の他の再生装置の前記再生能力情報を保持する保持手段と、
前記他の再生装置の前記再生能力情報に基づいて、コンテンツを前記外部記憶媒体に記録する記録手段と、
を具備するコンテンツ再生記録装置。
【請求項２】
前記記録手段においてコンテンツを前記外部記憶媒体に記録する場合、前記他の再生装置の前記再生能力情報を前記再生能力ファイルとして前記外部記憶媒体に書き戻す書込手段、を更に具備する、
請求項１記載のコンテンツ再生記録装置。
【請求項３】
前記コンテンツ再生記録装置の前記再生能力情報、及び、前記他の再生装置の前記再生能力情報のいずれか一方を選択する選択手段、を更に具備し、
前記記録手段は、前記選択手段において前記コンテンツ再生記録装置の前記再生能力情報が選択された場合、前記コンテンツ再生記録装置の前記再生能力情報に基づいて、コンテンツを前記外部記憶媒体に記録し、前記選択手段において前記他の再生装置の前記再生能力情報が選択された場合、前記他の再生装置の前記再生能力情報に基づいて、コンテンツを前記外部記憶媒体に記録する、
請求項１記載のコンテンツ再生記録装置。
【請求項４】
再生装置に外部記憶媒体が挿入されると、前記再生装置におけるコンテンツの再生能力を示す再生能力情報が再生能力ファイルとして前記外部記憶媒体に格納され、前記再生能力ファイルが格納された前記外部記憶媒体が挿入された記録装置で、前記再生装置の前記再生能力情報に基づいて、コンテンツが前記外部記憶媒体に記録されるコンテンツ転送システムであって、前記外部記憶媒体に格納可能な前記再生能力情報が１つである前記コンテンツ転送システムにおいて、前記再生装置及び前記記録装置として動作可能なコンテンツ再生記録装置におけるコンテンツ再生記録方法であって、
挿入された前記外部記憶媒体に格納された前記再生能力ファイルを読み込み、前記コンテンツ再生記録装置以外の他の再生装置の前記再生能力情報を保持する保持ステップと、
前記他の再生装置の前記再生能力情報に基づいて、コンテンツを前記外部記憶媒体に記録する記録ステップと、
を具備するコンテンツ再生記録方法。
【請求項５】
再生装置に外部記憶媒体が挿入されると、前記再生装置におけるコンテンツの再生能力を示す再生能力情報が再生能力ファイルとして前記外部記憶媒体に格納され、前記再生能力ファイルが格納された前記外部記憶媒体が挿入された記録装置で、前記再生装置の前記再生能力情報に基づいて、コンテンツが前記外部記憶媒体に記録されるコンテンツ転送システムであって、前記外部記憶媒体に格納可能な前記再生能力情報が１つである前記コンテンツ転送システムにおいて、前記再生装置及び前記記録装置として動作可能なコンテンツ再生記録装置において、
挿入された前記外部記憶媒体に格納された前記再生能力ファイルを読み込み、前記コンテンツ再生記録装置以外の他の再生装置の前記再生能力情報を保持する保持ステップと、
前記他の再生装置の前記再生能力情報に基づいて、コンテンツを前記外部記憶媒体に記録する記録ステップと、
をコンピュータに実行させるためのプログラム。
【発明の詳細な説明】
【技術分野】
【０００１】
本発明は、コンテンツ再生記録装置、コンテンツ再生記録方法及びプログラムに関するものである。
【背景技術】
【０００２】
近年、携帯端末装置では、様々な媒体を介して映像データ等のコンテンツを提供するサービスが利用されている。
【０００３】
例えば、コンテンツを記録するコンテンツ記録装置（Recording Device。以下、単に記録装置という。例えば、BD（Blu-Ray Disc（登録商標））/DVDレコーダ等）で記録されたコンテンツを、コンテンツを再生するコンテンツ再生装置（Playing Device。以下、単に再生装置という。例えば、携帯端末装置等）へ転送して利用するサービスに関する規格が策定されている（例えば、非特許文献１参照）。
【０００４】
この規格では、まず、再生装置は、再生装置におけるコンテンツの再生能力（例えば、コーデックに関するパラメータ、コンテンツ特性、表示解像度又は処理能力等）を示す再生能力情報（Recommended Parameter Level又はClassとも呼ばれる）を記録装置に通知する。そして、記録装置は、再生装置の再生能力情報に基づいて、コンテンツを変換・記録する（例えば、特許文献１及び非特許文献１参照）。
【０００５】
例えば、再生装置と記録装置との間で、メモリカード等の外部記憶媒体（又はリムーバブルメディア。以下、外部メモリという）を介して再生能力情報及びコンテンツのやり取りを行う場合について説明する。まず、再生装置は、外部メモリが挿入されると、その再生装置の再生能力情報を再生能力ファイル（Profiling fileとも呼ばれる。例えば、非特許文献１ではファイル名：PF0804.PRF）として外部メモリに書き込む。次いで、記録装置は、再生装置から抜去された外部メモリ（再生能力ファイルが格納された外部メモリ）が挿入されると、外部メモリに格納された再生能力ファイル（再生装置の再生能力情報）を読み込む。そして、記憶装置は、再生装置の再生能力情報に基づくコンテンツ特性に応じてコンテンツを変換し、変換後のコンテンツを外部メモリに記録する。これにより、再生装置は、記録装置で外部メモリに記録されたコンテンツ、つまり、再生装置の再生能力に応じたコンテンツを再生することができる。
【０００６】
また、非特許文献１に開示された規格では、上記再生能力ファイル数は１つに規定されている。よって、再生装置と記録装置との間では、外部メモリに格納された１つの再生能力ファイルのみが交換される。
【先行技術文献】
【特許文献】
【０００７】
【特許文献１】特開２００７−０１３６０２号公報
【非特許文献】
【０００８】
【非特許文献１】SD Specification Part 8 VIDEO Spec H.264 Mobile Video Profile Spec Ver1.00, Supplementary Notes Ver1.00
【発明の概要】
【発明が解決しようとする課題】
【０００９】
今後、携帯端末装置等が、コンテンツ再生機能及びコンテンツ記録機能の双方を有するコンテンツ再生記録装置（以下、単に再生記録装置という）として動作することも考えられる。再生記録装置は、再生装置として、再生記録装置の再生能力情報を記録装置（他の機器）へ通知し、記録装置で記録されたコンテンツを再生する。一方で、再生記録装置は、記録装置として、再生装置（他の機器）から通知された再生能力情報に基づいてコンテンツを記録する。
【００１０】
例えば、上記同様、再生記録装置と再生装置との間で、外部メモリを介して再生能力情報及びコンテンツのやり取りを行う場合について説明する。すなわち、上述したように、まず、再生装置は、外部メモリが挿入されると、その再生装置の再生能力情報を再生能力ファイルとして外部メモリに書き込む。
【００１１】
次いで、再生装置から抜去された外部メモリ（再生能力ファイルが格納された外部メモリ）が再生記録装置に挿入されると、再生記録装置は、再生装置として、再生記録装置の再生能力情報を再生能力ファイルとして外部メモリに書き込む。ここで、非特許文献１に開示された規格では、上述したように、外部メモリに格納される再生能力ファイル数は１つである（つまり、外部メモリに格納される再生能力情報は１つである）。よって、この場合、挿入直前に外部メモリに格納されていた再生能力ファイル（再生装置の再生能力情報）は、再生記録装置の再生能力情報によって上書きされ、再生装置の再生能力情報が失われてしまう。
【００１２】
そのため、再生記録装置は、記録装置として、外部メモリに格納された再生能力ファイルを読み込んでも、再生記録装置の再生能力情報しか得られず、再生装置の再生能力に応じたコンテンツの変換・記録を行うことができなくなる。
【００１３】
このように、コンテンツ再生機能及びコンテンツ記録機能を有する再生記録装置では、他の再生装置の再生能力情報が再生能力ファイルとして格納されている外部メモリが挿入されると、再生記録装置の再生能力情報を再生能力ファイルに上書きしてしまう。このため、再生装置と、記録装置として動作する再生記録装置との間で、再生装置の再生能力情報を交換できなくなってしまう。つまり、外部メモリに格納される再生能力ファイル数が１つに規定されている場合、再生記録装置は、他の再生装置の再生能力に応じたコンテンツを記録することができない。
【００１４】
本発明の目的は、外部メモリに格納される再生能力ファイル数が１つであり、再生能力ファイルに記載できる再生能力情報が１つに規定されている場合でも、コンテンツ再生機能及びコンテンツ記録機能を有する再生記録装置において、他の再生装置の再生能力に応じたコンテンツを記録することができるコンテンツ再生記録装置、コンテンツ再生記録方法及びプログラムを提供することである。
【課題を解決するための手段】
【００１５】
本発明の第１の態様に係るコンテンツ再生記録装置は、再生装置に外部記憶媒体が挿入されると、前記再生装置におけるコンテンツの再生能力を示す再生能力情報が再生能力ファイルとして前記外部記憶媒体に格納され、前記再生能力ファイルが格納された前記外部記憶媒体が挿入された記録装置で、前記再生装置の前記再生能力情報に基づいて、コンテンツが前記外部記憶媒体に記録されるコンテンツ転送システムであって、前記外部記憶媒体に格納可能な前記再生能力情報が１つである前記コンテンツ転送システムにおいて、前記再生装置及び前記記録装置として動作可能なコンテンツ再生記録装置であって、挿入された前記外部記憶媒体に格納された前記再生能力ファイルを読み込み、前記コンテンツ再生記録装置以外の他の再生装置の前記再生能力情報を保持する保持手段と、前記他の再生装置の前記再生能力情報に基づいて、コンテンツを前記外部記憶媒体に記録する記録手段と、を具備する構成を採る。
【００１６】
本発明の第２の態様に係るコンテンツ再生記録方法は、再生装置に外部記憶媒体が挿入されると、前記再生装置におけるコンテンツの再生能力を示す再生能力情報が再生能力ファイルとして前記外部記憶媒体に格納され、前記再生能力ファイルが格納された前記外部記憶媒体が挿入された記録装置で、前記再生装置の前記再生能力情報に基づいて、コンテンツが前記外部記憶媒体に記録されるコンテンツ転送システムであって、前記外部記憶媒体に格納可能な前記再生能力情報が１つである前記コンテンツ転送システムにおいて、前記再生装置及び前記記録装置として動作可能なコンテンツ再生記録装置におけるコンテンツ再生記録方法であって、挿入された前記外部記憶媒体に格納された前記再生能力ファイルを読み込み、前記コンテンツ再生記録装置以外の他の再生装置の前記再生能力情報を保持する保持ステップと、前記他の再生装置の前記再生能力情報に基づいて、コンテンツを前記外部記憶媒体に記録する記録ステップと、を具備する構成を採る。
【００１７】
本発明の第３の態様に係るプログラムは、再生装置に外部記憶媒体が挿入されると、前記再生装置におけるコンテンツの再生能力を示す再生能力情報が再生能力ファイルとして前記外部記憶媒体に格納され、前記再生能力ファイルが格納された前記外部記憶媒体が挿入された記録装置で、前記再生装置の前記再生能力情報に基づいて、コンテンツが前記外部記憶媒体に記録されるコンテンツ転送システムであって、前記外部記憶媒体に格納可能な前記再生能力情報が１つである前記コンテンツ転送システムにおいて、前記再生装置及び前記記録装置として動作可能なコンテンツ再生記録装置において、挿入された前記外部記憶媒体に格納された前記再生能力ファイルを読み込み、前記コンテンツ再生記録装置以外の他の再生装置の前記再生能力情報を保持する保持ステップと、前記他の再生装置の前記再生能力情報に基づいて、コンテンツを前記外部記憶媒体に記録する記録ステップと、をコンピュータに実行させる。
【発明の効果】
【００１８】
本発明によれば、外部メモリに格納される再生能力ファイル数が１つであり、再生能力ファイルに記載できる再生能力情報が１つに規定されている場合でも、コンテンツ再生機能及びコンテンツ記録機能を有する再生記録装置において、他の再生装置の再生能力に応じたコンテンツを記録することができる。
【図面の簡単な説明】
【００１９】
【図１】本発明の実施の形態１に係る再生記録装置、外部メモリ、再生装置及び記録装置の構成を示すブロック図
【図２】本発明の実施の形態１に係る再生記録装置の処理の流れを示す図
【図３】本発明の実施の形態２に係る再生記録装置、外部メモリ及び再生装置の構成を示すブロック図
【図４】本発明の実施の形態２に係る再生記録装置の処理の流れを示す図
【図５】本発明の実施の形態３に係る再生記録装置、外部メモリ及び再生装置の構成を示すブロック図
【図６】本発明の実施の形態３に係る再生記録装置の処理の流れを示す図
【発明を実施するための形態】
【００２０】
以下、本発明の実施の形態について、添付図面を参照して詳細に説明する。
【００２１】
以下の説明では、再生装置に外部メモリが挿入されると、その再生装置におけるコンテンツの再生能力（その再生装置で再生可能なコンテンツ特性等）を示す再生能力情報（Recommended Parameter Level又はclass）が再生能力ファイル（Profiling file）として外部メモリに格納され、再生能力ファイルが格納された外部メモリが挿入された記録装置で、再生装置の再生能力情報に基づいて、コンテンツが外部メモリに記録されるコンテンツ転送システムについて説明する。また、上述したように、外部メモリに格納可能な再生能力ファイル数は１つであり、再生能力ファイルに記載できる再生能力情報は１つである。つまり、外部メモリに格納可能な再生能力情報は１つに規定されているとする。
【００２２】
（実施の形態１）
図１は本実施の形態に係る再生記録装置、外部メモリ、再生装置及び記録装置の構成を示すブロック図である。
【００２３】
なお、図１に示す再生記録装置１００、再生装置３００及び記録装置４００は、外部メモリ２００を着脱可能に構成される。また、図１に示す再生記録装置１００は、再生装置及び記録装置として動作可能である。つまり、図１に示す再生記録装置１００は、再生装置３００との間では、記録装置として動作し、再生装置３００の再生能力情報に基づいてコンテンツを記録する。一方、図１に示す再生記録装置１００は、記録装置４００との間では、再生装置として動作し、記録装置４００で再生記録装置１００の再生能力情報に基づいて記録されたコンテンツを再生する。
【００２４】
図１に示す再生記録装置１００において、再生部１０１は、外部メモリ２００に格納されたコンテンツ２０３（図１では、記録装置４００で再生記録装置１００の再生能力情報に基づいて記録されたコンテンツ）を再生する。
【００２５】
記録部１０２は、コンテンツを録画又は録音等により外部メモリ２００に記録する。このとき、記録部１０２は、保持部１０３が保持している再生能力情報を保持部１０３から読み出し、読み出した再生能力情報（図１では、他機器である再生装置３００の再生能力情報）に基づいてコンテンツを外部メモリ２００に記録する。つまり、記録部１０２は、再生装置３００の再生能力情報に基づいたコンテンツ特性に変換したコンテンツ２０２を外部メモリ２００に記録する。
【００２６】
保持部１０３は、挿入された外部メモリ２００に格納された再生能力ファイル２０１を読み込み、再生記録装置１００以外の他の再生装置である再生装置３００の再生能力情報を保持する。
【００２７】
自己再生能力情報書込部１０４は、再生記録装置１００（自装置）の再生能力情報（再生部１０１で再生可能なコンテンツ特性等を示す情報）を再生能力ファイル２０１として外部メモリ２００に書き込む。ここで、外部メモリ２００に格納可能な再生能力ファイル数は１つである。よって、例えば、外部メモリ２００に再生装置３００（他の機器）の再生能力情報が再生能力ファイル２０１として格納されている場合、自己再生能力情報書込部１０４は、再生記録装置１００の再生能力情報を外部メモリ２００内の再生能力ファイル２０１に上書きする。
【００２８】
図１に示す外部メモリ２００は、再生能力ファイル２０１及びコンテンツ（図１ではコンテンツ２０２及びコンテンツ２０３）を格納する外部記憶媒体（リムーバブルメディア）であり、再生記録装置１００、再生装置３００及び記録装置４００に着脱（装着及び取り外し）可能に構成される。ただし、外部メモリ２００に格納される再生能力ファイルは１つに規定されている。
【００２９】
図１に示す再生装置３００において、再生能力情報書込部３０１は、挿入された外部メモリ２００に、再生装置３００の再生能力情報（再生部３０２で再生可能なコンテンツ特性等を示す情報）を再生能力ファイル２０１として書き込む。再生部３０２は、外部メモリ２００に格納されたコンテンツ２０２（図１では、再生装置３００の再生能力情報に基づいて再生記録装置１００（記録部１０２）で記録されたコンテンツ）を再生する。
【００３０】
図１に示す記録装置４００において、再生能力情報読込部４０１は、挿入された外部メモリ２００に格納された再生能力ファイル２０１（図１では、再生記録装置１００の再生能力情報）を読み込む。記録部４０２は、再生能力情報読込部４０１で読み込まれた、再生記録装置１００の再生能力情報に基づいてコンテンツを変換し、変換後のコンテンツ２０３（再生記録装置１００の再生能力情報に基づいたコンテンツ特性のコンテンツ）を外部メモリ２００に記録する。
【００３１】
次に、本実施の形態に係る再生記録装置１００（例えば携帯端末装置）における処理の詳細について説明する。
【００３２】
図２は、再生記録装置１００におけるコンテンツ記録処理の流れを示す図である。
【００３３】
図２において、ステップ（以下、ＳＴという）１０１では、再生記録装置１００は、外部メモリ２００が挿入されたか否かを判断する。再生記録装置１００に外部メモリ２００が挿入されない場合（ＳＴ１０１：ＮＯ）、再生記録装置１００は、ＳＴ１０１の処理を繰り返す。
【００３４】
再生記録装置１００に外部メモリ２００が挿入された場合（ＳＴ１０１：ＹＥＳ）、再生記録装置１００は、外部メモリ２００に再生能力ファイル２０１が格納されているか否かを判断する。
【００３５】
外部メモリ２００に再生能力ファイル２０１が格納されている場合（ＳＴ１０２：ＹＥＳ）、ＳＴ１０３では、保持部１０３は、外部メモリ２００に格納されている再生能力ファイル２０１（例えば、再生装置３００の再生能力情報）を読み込み、他の機器である再生装置３００の再生能力情報を保持する。
【００３６】
ＳＴ１０４では、自己再生能力情報書込部１０４は、再生記録装置１００の再生能力情報を再生能力ファイル２０１として外部メモリ２００に書き込む。ここで、外部メモリ２００には再生能力ファイル２０１が既に格納されている（ＳＴ１０２：ＹＥＳ）。よって、自己再生能力情報書込部１０４は、再生記録装置１００の再生能力情報を外部メモリ２００内の再生能力ファイル２０１に上書きする。
【００３７】
一方、外部メモリ２００に再生能力ファイル２０１が格納されていない場合（ＳＴ１０２：ＮＯ）ＳＴ１０５では、自己再生能力情報書込部１０４は、再生記録装置１００の再生能力情報を再生能力ファイル２０１として外部メモリ２００に書き込む。
【００３８】
このようにして、再生記録装置１００は、外部メモリ２００が挿入されると（ＳＴ１０１：ＹＥＳ）、再生記録装置１００の再生能力情報を再生能力ファイル２０１として外部メモリ２００に書き込む（ＳＴ１０４又はＳＴ１０５）。ただし、再生記録装置１００は、外部メモリ２００に再生能力ファイル２０１が既に格納されている場合（ＳＴ１０２：ＹＥＳ）には、まず、ＳＴ１０３において、外部メモリ２００に格納されている、他の機器である再生装置３００の再生能力情報を保持する。そして、再生装置３００の再生能力情報を保持した後に、再生記録装置１００は、ＳＴ１０４において、再生記録装置１００の再生能力情報を外部メモリ２００内の再生能力ファイル２０１に上書きする。
【００３９】
ＳＴ１０６では、再生記録装置１００は、記録部１０２でコンテンツを外部メモリ２００に記録するか否かを判断する。換言すると、再生記録装置１００は、記録装置として動作するか否かを判断する。記録部１０２でコンテンツを外部メモリ２００に記録すると判断した場合（ＳＴ１０６：ＹＥＳ）、ＳＴ１０７では、記録部１０２は、ＳＴ１０３で保持部１０３が保持した再生装置３００の再生能力情報に基づいたコンテンツ特性で、コンテンツ（図１ではコンテンツ２０２）を外部メモリ２００に記録する。一方、記録部１０２でコンテンツを外部メモリ２００に記録すると判断しない場合（ＳＴ１０６：ＮＯ）、再生記録装置１００は何もせずＳＴ１０８の処理に進む。
【００４０】
ＳＴ１０８では、再生記録装置１００は、外部メモリ２００が抜去されたか否かを判断する。外部メモリ２００が抜去された場合（ＳＴ１０８：ＹＥＳ）、再生記録装置１００は処理を終了し、外部メモリ２００が抜去されない場合（ＳＴ１０８：ＮＯ）、再生記録装置１００はＳＴ１０６の処理に戻る。
【００４１】
例えば、再生記録装置１００でコンテンツ記録処理が行われてから（ＳＴ１０６：ＹＥＳ）、外部メモリ２００が再生記録装置１００から抜去された後（図２に示す処理が終了後）、外部メモリ２００が図１に示す再生装置３００に挿入されたとする。この場合、再生装置３００の再生部３０２は、外部メモリ２００内のコンテンツ２０２を再生する。つまり、再生装置３００は、ＳＴ１０７において再生記録装置１００の記録部１０２で再生装置３００の再生能力情報に基づいて変換・記録されたコンテンツ２０２を再生する。
【００４２】
一方、例えば、再生記録装置１００でコンテンツ記録処理が行われずに（ＳＴ１０６：ＮＯ）、外部メモリ２００が再生記録装置１００から抜去された後（図２に示す処理が終了後）、外部メモリ２００が図１に示す記録装置４００に挿入されたとする。この場合、記録装置４００の再生能力情報読込部４０１は、外部メモリ２００内の再生能力ファイル２０１を読み込み、再生記録装置１００の再生能力情報を得る。そして、記録装置４００の記録部４０２は、再生記録装置１００の再生能力情報に基づいてコンテンツを変換し、変換後のコンテンツをコンテンツ２０３として外部メモリ２００に記録する。そして、再生記録装置１００の再生部１０１は、抜去後再び挿入された外部メモリ２００に格納されたコンテンツ２０３（再生記録装置１００の再生能力に応じたコンテンツ）を再生する。
【００４３】
このように、再生記録装置１００は、再生能力ファイル（図１では再生装置３００の再生能力情報）が格納された外部メモリ２００が挿入されると、外部メモリ２００に格納されている再生能力ファイルを読み込んで、再生装置３００の再生能力情報を保持する。そのため、再生記録装置１００は、再生装置３００（他の再生装置）の再生能力情報を失うことなく、再生記録装置１００の再生能力情報を外部メモリ２００内の再生能力ファイル２０１に書き込む（上書きする）ことができる。
【００４４】
つまり、本実施の形態では、再生能力ファイル数が１つに規定されている場合に、再生装置３００（他の再生装置）の再生能力情報が再生能力ファイルとして格納されている外部メモリが挿入されても、再生記録装置１００では、再生装置３００と、記録装置として動作する再生記録装置１００との間で、再生装置３００（他の再生装置）の再生能力情報を正常に交換することができる。同様に、再生記録装置１００では、記録装置４００と、再生装置として動作する再生記録装置１００との間で、再生記録装置１００の再生能力情報を正常に交換することができる。
【００４５】
これにより、再生記録装置１００は、再生装置として動作する際（図２に示すＳＴ１０６：ＮＯ）、外部メモリ２００に再生記録装置１００の再生能力情報を再生能力ファイル２０１として格納する。これにより、再生記録装置１００は、記録装置４００で再生記録装置１００の再生能力情報に基づいて記録されたコンテンツを取得し、そのコンテンツを再生することができる。また、再生記録装置１００は、上記のように外部メモリ２００内の再生能力ファイルを上書きするものの、記録装置として動作する際、再生装置３００の再生能力情報に基づいてコンテンツを外部メモリ２００に記録することができる。
【００４６】
よって、本実施の形態によれば、外部メモリに格納される再生能力ファイル数が１つであり、再生能力ファイルに記載できる再生能力情報が１つに規定されている場合でも、再生機能及び記録機能を有する再生記録装置において、他の再生装置の再生能力に応じたコンテンツを記録することができる。
【００４７】
（実施の形態２）
本実施の形態において、再生記録装置が、挿入された外部メモリに格納されている再生能力ファイル（他の再生装置の再生能力情報）を読み込み、他の再生装置の再生能力情報を保持する点は実施の形態と同様である。本実施の形態では、さらに、再生記録装置は、コンテンツ記録処理を行う場合（つまり、記録装置として動作する場合）、保持している他の再生装置の再生能力情報を再生能力ファイル２０１として、外部メモリに書き戻す。
【００４８】
以下、本実施の形態について具体的に説明する。図３は、本実施の形態に係る再生記録装置、外部メモリ及び再生装置の構成を示すブロック図である。なお、図３において、実施の形態１（図１）と同一の構成要素には同一の符号を付しその説明を省略する。また、説明が煩雑になることを避けるために、図３では、実施の形態１（図１）と同様の処理である、再生記録装置５００の再生部１０１において記録装置（図示せず）で記録されたコンテンツを再生する処理の説明を省略する。
【００４９】
図３に示す再生記録装置５００において、他機器再生能力情報書込部５０１は、保持部１０３で保持している他の再生装置である再生装置３００の再生能力情報（つまり、挿入時に外部メモリ２００に格納されていた再生能力情報）を読み出す。他機器再生能力情報書込部５０１は、記録部１０２においてコンテンツを外部メモリ２００に記録する場合、保持部１０３から読み出した、他の再生装置である再生装置３００の再生能力情報を、再生能力ファイル２０１として外部メモリ２００に書き戻す。
【００５０】
次に、本実施の形態に係る再生記録装置５００における処理の詳細について説明する。図４は、再生記録装置５００におけるコンテンツ記録処理の流れを示す図である。なお、図４において、実施の形態１（図２）と同一の処理には同一の符号を付しその説明を省略する。
【００５１】
ここで、図３に示す外部メモリ２００に、再生装置３００の再生能力情報が再生能力ファイル２０１として格納されているとする。この場合、再生記録装置５００では、再生能力ファイル２０１が格納されている外部メモリ２００が挿入されると（ＳＴ１０１：ＹＥＳかつＳＴ１０２：ＹＥＳ）、実施の形態１と同様、再生記録装置５００の保持部１０３には、挿入時に外部メモリ２００に格納されていた再生能力ファイル２０１、つまり、再生装置３００の再生能力情報が保持される（ＳＴ１０３）。そして、外部メモリ２００内の再生能力ファイル２０１には、再生記録装置１００の再生能力情報が上書きされる（ＳＴ１０４）。
【００５２】
記録部１０２でコンテンツを外部メモリ２００に記録すると判断した場合（ＳＴ１０６：ＹＥＳ）、図４に示すＳＴ２０１では、他機器再生能力情報書込部５０１は、保持部１０３から読み出した、再生装置３００の再生能力情報（ＳＴ１０３で保持部１０３が保持した再生能力情報）を再生能力ファイル２０１として外部メモリ２００に書き戻す。
【００５３】
すなわち、再生記録装置５００でコンテンツ記録処理が行われる場合（ＳＴ１０６：ＹＥＳ）、抜去後（ＳＴ１０８：ＹＥＳ）の外部メモリ２００には、再生装置３００（他の再生装置）の再生能力情報が再生能力ファイル２０１として格納されている。つまり、抜去後の外部メモリ２００内の再生能力ファイル２０１には、再生記録装置５００への挿入時に外部メモリ２００に格納されていた再生能力情報（再生装置３００の再生能力情報）がそのまま格納された状態となる。
【００５４】
このように、記録部１０２でコンテンツ記録処理が行われる場合、つまり、再生記録装置５００が記録装置として動作する場合には、再生記録装置５００は、再生装置３００の再生能力情報を、外部メモリ２００内の再生能力ファイル２０１に再び書き戻す。これにより、再生記録装置５００に挿入された外部メモリ２００では、再生記録装置５００から抜去されても、挿入時の外部メモリ２００内の状況と比較して、図３に示すコンテンツ２０２のみが追加され、格納されている再生能力ファイルの内容は不変となる。つまり、再生記録装置５００が記録装置として動作する際には、再生記録装置５００における再生装置としての動作である、再生記録装置５００の再生能力情報の書込処理（図４に示すＳＴ１０４又はＳＴ１０５）が、抜去後の外部メモリ２００に反映されない。
【００５５】
よって、例えば、再生装置３００で再生するコンテンツを、複数の記録装置（再生記録装置５００以外の記録装置又は再生記録装置５００）で外部メモリ２００に記録する場合でも、再生装置３００に再度挿入して再生装置３００の再生能力情報を外部メモリ２００に書き込む必要が無くなる。すなわち、再生記録装置５００から抜去後の外部メモリ２００を、記録装置（再生記録装置５００以外の記録装置又は再生記録装置５００）に順に挿入するだけで、再生装置３００の再生能力に応じたコンテンツを複数の記録装置で外部メモリ２００に記録することができる。
【００５６】
また、再生記録装置５００は、実施の形態１と同様、記録装置として動作する場合には、挿入時に外部メモリ２００に格納されている再生装置３００の再生能力情報を保持する。そのため、再生記録装置５００は、実施の形態１と同様、外部メモリ２００内の再生能力ファイルが再生記録装置５００の再生能力情報で上書きされても、再生装置３００の再生能力情報に基づいてコンテンツを外部メモリ２００に記録することができる。
【００５７】
一方、再生記録装置５００でコンテンツ記録処理が行われない場合（ＳＴ１０６：ＮＯ）、抜去後（ＳＴ１０８：ＹＥＳ）の外部メモリ２００には、再生記録装置５００の再生能力情報が再生能力ファイル２０１として格納されている。つまり、再生記録装置５００でコンテンツ記録処理が行われない場合、抜去後の外部メモリ２００内の再生能力ファイル２０１には、再生記録装置５００への挿入時に外部メモリ２００に格納されていた再生能力情報（再生装置３００の再生能力情報）とは異なる再生能力情報（再生記録装置１００の再生能力情報）が格納される。
【００５８】
つまり、記録部１０２でコンテンツ記録処理が行われない場合、つまり、再生記録装置５００が再生装置として動作する場合には、実施の形態１と同様、再生記録装置５００は、外部メモリ２００に再生記録装置５００の再生能力情報を再生能力ファイル２０１として格納する。これにより、再生記録装置５００は、記録装置（図示せず）で再生記録装置５００の再生能力情報に基づいて記録されたコンテンツを取得し、そのコンテンツを再生することができる。
【００５９】
このようにして、本実施の形態によれば、実施の形態１と同様、外部メモリに格納される再生能力ファイル数が１つであり、再生能力ファイルに記載できる再生能力情報が１つに規定されている場合でも、再生機能及び記録機能を有する再生記録装置において、他の再生装置の再生能力に応じたコンテンツを記録することができる。
【００６０】
さらに、本実施の形態によれば、再生記録装置が記録装置として動作する場合には、挿入時に再生記録装置の再生能力情報で上書きされた外部メモリ内の再生能力ファイルが、他の再生装置の再生能力情報（つまり、挿入時の状態）に再び書き戻される。すなわち、再生記録装置に対する挿入時と抜去時とで外部メモリに格納されている再生能力ファイルの内容が同一となる（つまり、他の再生装置の再生能力情報のまま維持される）。よって、例えば、同一の再生装置で再生されるコンテンツを、複数の記録装置で外部メモリに記録する場合でも、再生記録装置に挿入後、外部メモリを再生装置に挿入する処理（再生装置の再生能力情報の書込処理）が不要となる。つまり、再生装置の再生能力情報が再生能力ファイルとして格納されている外部メモリを、記録装置（再生記録装置を含む）に順に挿入するだけで、同一の再生装置で再生されるコンテンツを複数の記録装置で記録することができる。よって、本実施の形態によれば、実施の形態１と比較して、ユーザの利便性を向上させることができる。
【００６１】
なお、本実施の形態において、図４に示すＳＴ１０７の処理（記録部１０２によるコンテンツ記録処理）及びＳＴ２０１の処理（他機器再生能力情報書込部５０１による書込処理）の処理順序は、図４に示す順序（ＳＴ１０７、ＳＴ２０１の順）に限らず、逆順（ＳＴ２０１、ＳＴ１０７の順）でもよく、同時に行ってもよい。
【００６２】
（実施の形態３）
本実施の形態では、再生記録装置が記録装置として動作する際、再生記録装置の再生能力情報に基づいてコンテンツを記録するか、外部メモリに格納された他の再生装置の再生能力情報に基づいてコンテンツを記録するかを選択する場合について説明する。
【００６３】
以下、本実施の形態について具体的に説明する。図５は、本実施の形態に係る再生記録装置、外部メモリ及び再生装置の構成を示すブロック図である。なお、図５において、実施の形態２（図３）と同一の構成要素には同一の符号を付しその説明を省略する。
【００６４】
図５に示す再生記録装置６００において、選択部６０１には、再生記録装置６００の再生能力情報が自己再生能力情報書込部１０４から入力される。また、選択部６０１は、再生装置３００の再生能力情報（挿入時に外部メモリ２００に格納されていた再生能力情報）を保持部１０３から読み出す。選択部６０１は、例えば、ユーザの操作入力によって、再生記録装置６００（自装置）の再生能力情報、及び、再生装置３００（他の再生装置）の再生能力情報のいずれか一方を選択する。そして、選択部６０１は、選択した再生能力情報を記録部６０２に出力する。
【００６５】
記録部６０２は、選択部６０１から入力される再生能力情報（再生記録装置６００の再生能力情報、又は、再生装置３００の再生能力情報）に基づいてコンテンツを変換し、変換後のコンテンツ２０２を外部メモリ２００に記録する。具体的には、記録部６０２は、選択部６０１において再生装置３００（他の再生装置）の再生能力情報が選択された場合、再生装置３００の再生能力情報に基づいて、コンテンツ２０２を外部メモリ２００に記録する。一方、記録部６０２は、選択部６０１において再生記録装置６００の再生能力情報が選択された場合、再生記録装置６００の再生能力情報に基づいて、コンテンツ２０２を外部メモリ２００に記録する。
【００６６】
再生部６０３は、再生記録装置６００の再生能力情報に基づいて再生記録装置６００以外の記録装置で記録されたコンテンツ（図示せず）、又は、記録部６０２（つまり、再生記録装置６００）で再生記録装置６００の再生能力情報に基づいて記録されたコンテンツ（コンテンツ２０２）を再生する。
【００６７】
次に、本実施の形態に係る再生記録装置６００における処理の詳細について説明する。図６は、再生記録装置６００におけるコンテンツ記録処理の流れを示す図である。なお、図６において、実施の形態２（図４）と同一の処理には同一の符号を付しその説明を省略する。
【００６８】
図６に示すＳＴ３０１では、選択部６０１は、再生記録装置６００（自装置）の再生能力情報、及び、再生装置３００（他の再生装置）の２種類の再生能力情報のうちいずれか一方を記録するかを選択する。例えば、選択部６０１は、再生記録装置６００及び再生装置３００のどちらでコンテンツを再生するか（２種類の再生能力情報のどちらに基づいてコンテンツを記録するか）の選択を、ユーザに対して促すメッセージを表示する。そして、選択部６０１では、例えば、ユーザの操作入力によって、再生記録装置６００の再生能力情報、及び、再生装置３００の再生能力情報のいずれか一方が選択される。
【００６９】
ＳＴ３０２では、記録部６０２は、ＳＴ３０１において再生記録装置６００の再生能力情報及び再生装置３００の再生能力情報のうちいずれが選択されたかを判断する。挿入時に外部メモリ２００に格納されていた再生能力情報（再生装置３００の再生能力情報）を選択部６０１が選択した場合（ＳＴ３０２：ＹＥＳ）、記録部６０２は、実施の形態１と同様、ＳＴ１０７において、再生装置３００の再生能力情報（保持部１０３が保持している再生能力情報）に基づいたコンテンツ特性でコンテンツを外部メモリ２００に記録する。
【００７０】
一方、挿入時に外部メモリ２００に格納されていた再生能力情報を選択部６０１が選択しない場合（ＳＴ３０２：ＮＯ）、つまり、再生記録装置６００の再生能力情報を選択部６０１が選択した場合、ＳＴ３０３では、記録部６０２は、再生記録装置６００（自装置）の再生能力情報に基づいたコンテンツ特性でコンテンツを外部メモリ２００に記録する。
【００７１】
このように、再生記録装置６００は、再生記録装置６００でコンテンツを再生することをユーザが意図しているのか、他の再生装置３００でコンテンツを再生することをユーザが意図しているのかを、コンテンツ記録処理時に判断することができる。よって、再生記録装置６００は、ユーザがコンテンツ再生を意図している再送装置の再生能力に基づいたコンテンツ特性で、コンテンツを外部メモリ２００に記録することができる。
【００７２】
また、再生記録装置６００は、実施の形態１と同様、再生装置として動作する場合には、外部メモリ２００に再生記録装置６００の再生能力情報を再生能力ファイル２０１として格納する。これにより、再生記録装置６００は、実施の形態１と同様、記録装置（図示せず）で再生記録装置６００の再生能力情報に基づいて記録されたコンテンツを取得し、そのコンテンツを再生することができる。
【００７３】
また、再生記録装置６００は、再生装置３００（他の再生装置）に対するコンテンツを記録する記録装置として動作する場合（選択部６０１が再生装置３００の再生能力情報を選択する場合）、実施の形態１と同様、挿入時に外部メモリ２００に格納されている再生装置３００の再生能力情報を保持する。そのため、再生記録装置６００は、実施の形態１と同様、外部メモリ２００内の再生能力ファイルが再生記録装置６００の再生能力情報で上書きされても、再生装置３００の再生能力情報に基づいてコンテンツを外部メモリ２００に記録することができる。
【００７４】
よって、本実施の形態によれば、実施の形態１と同様、外部メモリに格納される再生能力ファイル数が１つであり、再生能力ファイルに記載できる再生能力情報が１つに規定されている場合でも、再生機能及び記録機能を有する再生記録装置において、他の再生装置の再生能力に応じたコンテンツを記録することができる。
【００７５】
さらに、本実施の形態によれば、再生記録装置でのコンテンツ記録処理時に、そのコンテンツを再生する装置（再生記録装置又は他の再生装置）を選択することができ、実施の形態１と比較して、ユーザの利便性を向上させることができる。
【００７６】
さらに、本実施の形態によれば、実施の形態２と同様、再生記録装置が他の再生装置（図５では再生装置３００）に対する記録装置として動作する場合には、挿入時に再生記録装置の再生能力情報で上書きされた外部メモリ内の再生能力ファイルが、他の再生装置の再生能力情報（つまり、挿入時の状態）に再び書き戻される。これにより、実施の形態２と同様、再生装置の再生能力情報が再生能力ファイルとして格納されている外部メモリを、記録装置（再生記録装置を含む）に順に挿入するだけで、同一の再生装置で再生されるコンテンツを複数の記録装置で記録することができる。よって、本実施の形態によれば、実施の形態１と比較して、ユーザの利便性をさらに向上させることができる。
【００７７】
なお、本実施の形態において、再生記録装置で再生記録装置の再生能力情報及び他の再生装置の再生能力情報のいずれか一方を選択するタイミングは、図６に示すＳＴ３０１（つまり、コンテンツ記録処理の実行をするか否かの判断後のタイミング）の処理のタイミングに限らない。例えば、再生記録装置で再生記録装置の再生能力情報及び他の再生装置の再生能力情報のいずれか一方を選択するタイミングは、外部メモリが挿入されるタイミングでもよく、ユーザにより設定されたタイミングでもよい。
【００７８】
以上、本発明の各実施の形態について説明した。
【００７９】
なお、上記実施の形態では、再生記録装置と、再生装置又は記録装置とが外部メモリを介して再生能力情報及びコンテンツを交換する場合について説明した。しかし、再生記録装置と、再生装置又は記録装置との間では、外部メモリに限らず、有線（例えば、ＵＳＢケーブル）又は無線を用いて、再生能力情報及びコンテンツを交換してもよい。例えば、有線（ＵＳＢケーブル）を用いる場合、再生装置として動作する再生記録装置と記録装置とをＵＳＢケーブルで接続することは、上記実施の形態において再生記録装置から外部メモリを抜去（例えば、図２に示すＳＴ１０８：ＹＥＳ）した後、記録装置に外部メモリを挿入する処理と等価である。
【００８０】
また、上記実施の形態では、再生記録装置が、記録装置としてコンテンツを録画又は録音等により外部メモリに記録する場合について説明した。しかし、再生記録装置は、例えば、保存装置として、ダウンロードしたコンテンツを外部メモリに保存してもよい。すなわち、上記実施の形態で説明した再生記録装置が、再生装置、及び、記録装置又は保存装置として動作する場合でも、本発明を適用することができる。
【００８１】
また、上記実施の形態において、再生記録装置は、再生装置の再生能力情報に基づくコンテンツ特性に応じてコンテンツを変換し、変換後のコンテンツを外部メモリに記録する場合について説明した。しかし、再生記録装置は、外部メモリに記録する際に、再生能力情報に応じてコンテンツを変換する場合に限らず、例えば、幾つかのコンテンツ特性で格納されているコンテンツの中から、再生装置の再生能力情報に応じたコンテンツを選択してもよい。又は、再生記録装置は、サーバ等からコンテンツをダウンロードする場合には、再生装置の再生能力情報に応じたコンテンツをダウンロードしてもよい。
【産業上の利用可能性】
【００８２】
本発明は、再生機能、及び、記録機能又は保存機能を有する携帯端末等に適用することができる。
【符号の説明】
【００８３】
１００，５００，６００  再生記録装置
２００  外部メモリ
３００  再生装置
４００  記録装置
１０１，３０２，６０３  再生部
１０２，４０２，６０２  記録部
１０３  保持部
１０４  自己再生能力情報書込部
２０１  再生能力ファイル
２０２，２０３  コンテンツ
３０１  再生能力情報書込部
４０１  再生能力情報読込部
５０１  他機器再生能力情報書込部
６０１  選択部
【図１】
2011193120.tif 000003
【図２】
2011193120.tif 000004
【図３】
2011193120.tif 000005
【図４】
2011193120.tif 000006
【図５】
2011193120.tif 000007
【図６】
2011193120.tif 000008